(57)【要約】【課題】通話相手の電話機からの着信が発生して他の人物の電話機に転送する場合に、その他の人物が在席しているかどうかを迅速に状況確認し、必要に応じて、その他の人物の電話機への着信転送を効率的に支援する。【解決手段】通信システム５は、ＰＢＸ８と、スマートフォン５０と、通信アダプタ１０とを含む。通信アダプタ１０は、スマートフォン５０との接続に関するイベントを検知すると、ＢＬＥ通信を用いて、スマートフォン５０との間でペアリング接続を行う。スマートフォン５０は、通信アダプタ１０とペアリング接続後、ＩＰ通信を用いて、自端末に関する情報を通信アダプタ１０に送信する。通信アダプタ１０は、ＢＬＥ通信を用いた相互接続の処理結果とスマートフォン５０のＩＰ情報とに基づいて、ＰＢＸ８にスマートフォン５０のユーザが在席していることの通知を表すＩｎｖｉｔｅ信号を送信する。【選択図】図１
2018191066.tif 000002
【特許請求の範囲】
【請求項１】
電話交換機と、電話通信端末と、前記電話交換機及び前記電話通信端末との間で通話に関する信号を送受信する通信アダプタとを含む通信システムであって、
前記通信アダプタは、
前記電話通信端末との接続に関するイベントを検知すると、第１の通信を用いて、前記電話通信端末との間で、前記電話通信端末との間の相互接続の処理を行い、
前記電話通信端末は、
前記通信アダプタとの間の相互接続の処理の後、第２の通信を用いて、自端末に関する情報を前記通信アダプタに送信し、
前記通信アダプタは、
前記第１の通信を用いた相互接続の処理結果と前記第２の通信によって前記電話通信端末から送信された前記電話通信端末に関する情報とに基づいて、前記電話交換機に、前記通信アダプタとの間の前記第２の通信が可能な電話通信端末の存在を示す信号を送信する、
通信システム。
【請求項２】
前記電話通信端末及び前記通信アダプタは、ユーザ毎にそれぞれ設けられ、
前記電話交換機は、前記電話交換機に接続される個々の通信アダプタ毎に、それぞれの前記通信アダプタと前記第２の通信を用いた電話通信端末の有無を示す情報を保持するテーブルを記憶するメモリを有し、少なくとも１つの前記通信アダプタから送信された、前記第２の通信が可能な電話通信端末の存在を示す信号に基づいて、前記テーブルを更新する、
請求項１に記載の通信システム。
【請求項３】
前記通信アダプタは、前記第１の通信を用いて相互接続の処理を完了した前記電話通信端末の存在を報知する、
請求項１に記載の通信システム。
【請求項４】
前記通信アダプタは、
前記電話通信端末ごとに、その電話通信端末の存在を報知する発光部が配置された複数のボタンを有し、
前記複数のボタンのそれぞれ対応する前記電話通信端末の番号を第２メモリに登録し、
前記複数のボタンのそれぞれの押下に応じて、押下されたボタンに対応する番号の前記電話通信端末との接続に関するイベントを検知する、
請求項３に記載の通信システム。
【請求項５】
電話交換機と、電話通信端末と、前記電話交換機及び前記電話通信端末との間で通話に関する信号を送受信する通信アダプタとを含む通信システムを用いた通信方法であって、
前記通信アダプタは、
前記電話通信端末との接続に関するイベントを検知すると、第１の通信を用いて、前記電話通信端末との間で、前記電話通信端末との間の相互接続の処理を行い、
前記電話通信端末は、
前記通信アダプタとの間の相互接続の処理の後、第２の通信を用いて、自端末に関する情報を前記通信アダプタに送信し、
前記通信アダプタは、
前記第１の通信を用いた相互接続の処理結果と前記第２の通信によって前記電話通信端末から送信された前記電話通信端末に関する情報とに基づいて、前記電話交換機に、前記通信アダプタとの間の前記第２の通信が可能な電話通信端末の存在を示す信号を送信する、
通信方法。
【請求項６】
請求項１に記載の通信システムに接続される、
通信アダプタ。
【発明の詳細な説明】
【技術分野】
【０００１】
本開示は、通話に関する信号を送受信する通信システム、通信方法及び通信アダプタに関する。
【背景技術】
【０００２】
一般に、企業等のオフィスでは、社内での通話等に利用可能であって携帯可能な電話通信端末（以下、「業務用の電話通信端末」という）がそれぞれの従業員個人に配布され、各従業員は、業務用の電話通信端末を使用し、企業内に設置された電話交換機（ＰＢＸ：Private Branch eXchange）を経由して、外部の相手先と通話を行っている。
【０００３】
一方で、近年、多くの従業員個人がプライベートのスマートフォンを所持していることに鑑みて、業務用の電話通信端末をそれぞれの従業員個人に配布することなく、従業員自身のスマートフォンを使用して、企業内に設置されたＰＢＸを経由して外部の相手先と通話させるというニースがある。つまり、従業員個人のスマートフォンが、ＰＢＸに対するコードレス電話子機として活用することで利便性を向上することが模索されている。
【０００４】
ここで、特許文献１のコードレス電話装置では、宅内及び宅外において、居住者のスマートフォンを、無線ＬＡＮを介してコードレス電話親機と接続し、スマートフォンをコードレス電話親機に対するコードレス電話子機として使用させることが開示されている。
【先行技術文献】
【特許文献】
【０００５】
【特許文献１】特開２０１４−２３９２９６号公報
【発明の概要】
【発明が解決しようとする課題】
【０００６】
特許文献１では、ユーザの所持するスマートフォンを、宅内のコードレス親機に対するコードレス子機として登録して使用できることは開示されている。しかし、特許文献１のような従来技術では、ユーザの所持するスマートフォンを、例えば企業内等に設置された電話交換機に接続可能な業務用のコードレス電話機として利用することは想定されていない。
【０００７】
例えば業務上、通話に関するイベント（例えば通話相手の電話機からの着信）が発生し、かつ他の人物の使用する電話機に転送したい場合がある。特許文献１のような従来技術では、ユーザ（つまり、従業員）はその人物（例えばユーザと同じ課の従業員）が在席しているかどうかの迅速な状況確認を行うための構成は開示されていない。このため、ユーザは、自分の業務の少なくとも一部が滞った状態で、例えばスマートフォンを操作して通話相手との通話を保留して転送するという面倒な操作を行う必要があった。また、転送先の人物（つまり、上述した他の人物）が在席していない場合には、保留を解除して発信元の通話相手に対し、折り返して電話させる等の対応が必要となり、ユーザに煩雑な作業が求められてしまい、電話通信端末を用いた転送時の操作の効率性に欠けるという課題があった。
【０００８】
本開示は、上述した従来の事情に鑑みて案出され、通話相手の電話機からの着信が発生して他の人物の電話機に転送する場合に、その他の人物が在席しているかどうかを迅速に状況確認し、必要に応じて、その他の人物の電話機への着信転送を効率的に支援する通信システム、通信方法及び通信アダプタを提供することを目的とする。
【課題を解決するための手段】
【０００９】
本開示は、電話交換機と、電話通信端末と、前記電話交換機及び前記電話通信端末との間で通話に関する信号を送受信する通信アダプタとを含む通信システムであって、前記通信アダプタは、前記電話通信端末との接続に関するイベントを検知すると、第１の通信を用いて、前記電話通信端末との間で、前記電話通信端末との間の相互接続の処理を行い、前記電話通信端末は、前記通信アダプタとの間の相互接続の処理の後、第２の通信を用いて、自端末に関する情報を前記通信アダプタに送信し、前記通信アダプタは、前記第１の通信を用いた相互接続の処理結果と前記第２の通信によって前記電話通信端末から送信された前記電話通信端末に関する情報とに基づいて、前記電話交換機に、前記通信アダプタとの間の前記第２の通信が可能な電話通信端末の存在を示す信号を送信する、通信システムを提供する。
【００１０】
本開示は、電話交換機と、電話通信端末と、前記電話交換機及び前記電話通信端末との間で通話に関する信号を送受信する通信アダプタとを含む通信システムを用いた通信方法であって、前記通信アダプタは、前記電話通信端末との接続に関するイベントを検知すると、第１の通信を用いて、前記電話通信端末との間で、前記電話通信端末との間の相互接続の処理を行い、前記電話通信端末は、前記通信アダプタとの間の相互接続の処理の後、第２の通信を用いて、自端末に関する情報を前記通信アダプタに送信し、前記通信アダプタは、前記第１の通信を用いた相互接続の処理結果と前記第２の通信によって前記電話通信端末から送信された前記電話通信端末に関する情報とに基づいて、前記電話交換機に、前記通信アダプタとの間の前記第２の通信が可能な電話通信端末の存在を示す信号を送信する、通信方法を提供する。
【発明の効果】
【００１１】
本開示によれば、通話に関するイベントの内容に合わせた必要な操作に不慣れなユーザであっても、業務において自分のスマートフォンをコードレス電話機として利用する際の操作性の劣化を抑制し、業務効率の向上を支援することができる。
【図面の簡単な説明】
【００１２】
【図１】実施の形態１の通信システムの構成の概略を説明する図
【図２Ａ】通信アダプタの操作パネルを示す正面図
【図２Ｂ】通信アダプタの外観を示す斜視図
【図２Ｃ】通信アダプタの外観を示す側面図
【図３】通信アダプタのハードウェア構成を示すブロック図
【図４】スマートフォンのハードウェア構成を示すブロック図
【図５】通信アダプタとスマートフォンの初回接続動作を示すシーケンス図
【図６】通信アダプタとスマートフォンの２回目以降の接続動作を示すシーケンス図
【図７】通信アダプタとのＩＰ通信接続開始時のスマートフォンの画面遷移を示す図
【図８】通信アダプタが着信応答を行う場合の着信動作手順を示すシーケンス図
【図９】図８に続く通信アダプタが着信応答を行う場合の着信動作手順を示すシーケンス図
【図１０】スマートフォンが着信応答を行う場合の着信動作手順を示すシーケンス図
【図１１Ａ】着信画面を示す図
【図１１Ｂ】通話画面を示す図
【図１１Ｃ】発信画面を示す図
【図１１Ｄ】アイドル画面を示す図
【図１２】発信動作手順を示すシーケンス図
【図１３】図１２に続く発信動作手順を示すシーケンス図
【図１４】通話転送の動作を示すシーケンス図
【図１５】図１４に続く通話転送の動作を示すシーケンス図
【図１６】図１４及び図１５に続く通話転送の動作を示すシーケンス図
【発明を実施するための形態】
【００１３】
（実施の形態１の内容に至る経緯）
上述した特許文献１では、ユーザの所持するスマートフォンを、宅内のコードレス親機に対するコードレス子機として登録して使用できることは開示されている。しかし、特許文献１のような従来技術では、ユーザの所持するスマートフォンを、例えば企業内等に設置された電話交換機に接続可能な業務用のコードレス電話機として利用することは想定されていない。
【００１４】
例えば業務上、通話に関するイベント（例えば通話相手の電話機からの着信）が発生し、かつ他の人物の使用する電話機に転送したい場合がある。特許文献１のような従来技術では、ユーザ（つまり、従業員）はその人物（例えばユーザと同じ課の従業員）が在席しているかどうかの迅速な状況確認を行うための構成は開示されていない。このため、ユーザは、自分の業務の少なくとも一部が滞った状態で、例えばスマートフォンを操作して通話相手との通話を保留して転送するという面倒な操作を行う必要があった。また、転送先の人物（つまり、上述した他の人物）が在席していない場合には、保留を解除して発信元の通話相手に対し、折り返して電話させる等の対応が必要となり、ユーザに煩雑な作業が求められてしまい、電話通信端末を用いた転送時の操作の効率性に欠けるという課題があった。
【００１５】
そこで、実施の形態１では、通話相手の電話機からの着信が発生して他の人物の電話機に転送する場合に、その他の人物が在席しているかどうかを迅速に状況確認し、必要に応じて、その他の人物の電話機への着信転送を効率的に支援する通信システム、通信方法及び通信アダプタの例を説明する。
【００１６】
（実施の形態１）
以下、適宜図面を参照しながら、本開示に係る通信システム、通信方法及び通信アダプタを具体的に開示した各実施の形態を詳細に説明する。但し、必要以上に詳細な説明は省略する場合がある。例えば既によく知られた事項の詳細説明や実質的に同一の構成に対する重複説明を省略する場合がある。これは、以下の説明が不必要に冗長になるのを避け、当業者の理解を容易にするためである。なお、添付図面及び以下の説明は、当業者が本開示を十分に理解するために提供されるのであって、これらにより特許請求の範囲に記載の主題を限定することは意図されていない。以下の実施の形態に係る通信システムは、例えば企業等のオフィスに設置された場合を想定して説明するが、設置先は企業等のオフィスに限定されない。
【００１７】
図１は、実施の形態１の通信システム５の構成の概略を説明する図である。
【００１８】
通信システム５は、例えば企業等の建物３内のオフィスに設置され、ＰＢＸ（Private Branch eXchange）８と、通信アダプタ１０と、スマートフォン５０とを含む構成を有する。なお、通信システム５の構成を分かり易く説明するために、スマートフォン５０は１台だけ図示されているが、オフィスにいる従業員個人に応じて、スマートフォン５０は所持されるため、通信システム５を構成するスマートフォン５０は１台に限定されないことは言うまでもない。
【００１９】
ＰＢＸ８は、構内交換機（いわゆる、構内電話交換機）或いは電話交換機と称される。ＰＢＸ８は、イーサネット（登録商標）等のＩＰ通信網（ＬＡＮ：Local Area Network）９０に接続され、ＩＰ通信網９０に接続された外部の電話機（図示略）と企業内の電話機との通話を中継する。また、ＰＢＸ８は、公衆電話回線網（ＰＳＴＮ：Public Switched Telephone Network）１００に接続され、公衆電話回線網１００に接続された外部の電話機と企業内の電話機との通話を中継する。また、ＰＢＸ８は、プレゼンスサーバ８ｚと接続されている。プレゼンスサーバ８ｚは、ユーザ（つまり、従業員）個人に対応して設けられたそれぞれの通信アダプタ１０が載置されるデスクの使用者である各従業員（各ユーザ）の在席状態及び通話状態を管理するテーブルを保持する。なお、図１ではプレゼンスサーバ８ｚはＰＢＸ８とは別体として図示されているが、プレゼンスサーバ８ｚはＰＢＸ８内に設けられる構成としてもよい。
【００２０】
通信アダプタ１０は、ＰＢＸ８と社内ＬＡＮ（Local Area Network）で接続される。また、通信アダプタ１０は、社内ＬＡＮに接続されたアクセスポイント（ＡＰ：Access Point）７０を介して無線接続されたスマートフォン５０と、社内ＬＡＮで接続されたＰＢＸ８との通話を中継する。また、通信アダプタ１０は、ＢＬＥ（Bluetooth（登録商標） Low Energy）通信によって、スマートフォン５０との間で無線接続される。
【００２１】
スマートフォン５０は、アクセスポイント７０と無線ＬＡＮで接続され、アクセスポイント７０を介してＰＢＸ８に接続された外部（例えば取引先）の電話機（携帯電話端末等、図示略）と通話可能である。また、スマートフォン５０は、ＢＬＥ（Bluetooth（登録商標） Low Energy）通信で通信アダプタ１０と無線接続され、さらに、アクセスポイント７０及び社内ＬＡＮ（言い換えると、ＩＰ通信機能）を介して、通信アダプタ１０とも接続される。
【００２２】
ＰＢＸ８と通信アダプタ１０との間のＩＰ通信では、ＩＰ通話の呼制御等を行うためのプロトコルであるＳＩＰ（Session Initiation Protocol）を用いて、セッションの確立・切断が行われる（符号Ｃ１参照）。また、ＰＢＸ８と通信アダプタ１０との間のＩＰ通信では、上述したＳＩＰを用いる場合に限定されず、例えばＭＧＣＰ（Media Gateway Control Protocol）を用いて実現されてもよい。
【００２３】
通信アダプタ１０が中継するＰＢＸ８とスマートフォン５０との間の音声データは、音声のデータストリームをリアルタイムに送信するデータ通信プロトコルであるＲＴＰ（Real-time Transport Protocol）通信を用いて転送される（符号Ｃ２参照）。
【００２４】
また、通信アダプタ１０及びスマートフォン５０間では、ＩＰ通信及びＢＬＥ通信が行われる。通信アダプタ１０とスマートフォン５０との間のＩＰ通信では、呼制御情報、ＲＴＰ情報、連携機能制御情報等が転送される（符号Ｃ３参照）。また、通信アダプタ１０とスマートフォン５０との間のＢＬＥ通信では、ＩＰ情報等（ＩＰアドレス、ポート番号を含む）が転送される（符号Ｃ４参照）。
【００２５】
図２Ａは、通信アダプタ１０の操作パネル３０を示す正面図である。
【００２６】
図２Ｂは、通信アダプタ１０の外観を示す斜視図である。
【００２７】
図２Ｃは、通信アダプタ１０の外観を示す側面図である。
【００２８】
通信アダプタ１０は、上面が手前側に傾斜した箱形の筐体１０ｚを有する。筐体１０ｚは、例えば樹脂材料で成形される。筐体１０ｚの上面には、操作パネル３０が配置される。操作パネル３０の前面は、表示領域３０ｚ、ボタン領域３０ｙ、ブランク領域３０ｘ、ＢＬＦキー領域３０ｗ、及び１２キー領域に区画される。
【００２９】
表示領域３０ｚには、液晶表示器（ＬＣＤ）１５が中央に配置され、その下方に着信用のＬＥＤ１６Ｂ、ＢＬＥ用のＬＥＤ１６Ａ及びソフトキー群３４が配置される。ソフトキー群３４は、ソフトキーｋ１１，ｋ１２，ｋ１３を含む。
【００３０】
ボタン領域３０ｙには、ボタン群３３が配置される。ボタン群３３は、ＣＡＬＬボタンｂｎ１，ＴＲＡＮＳＦＥＲボタンｂｎ２，ＨＯＬＤボタンｂｎ３，ＲＥＤＩＡＬボタンｂｎ４，ＭＵＴＥボタンｂｎ５，ＭＥＳＳＡＧＥボタンｂｎ６，Ｒｅｃｏｒｄｉｎｇボタンｂｎ７，及びＣＡＮＣＥＬボタンｂｎ８を含む。
【００３１】
ＣＡＬＬボタンｂｎ１は、発信や転送を行う時に押下される。なお、ＣＡＬＬボタンｂｎ１は、通話の最中に終話する際に押下される。
【００３２】
ＴＲＡＮＳＦＥＲボタンｂｎ２は、通話を転送する時に押下される。
【００３３】
ＨＯＬＤボタンｂｎ３は、保留する時に押下される。
【００３４】
ＲＥＤＩＡＬボタンｂｎ４は、リダイアル通話を行う時に押下される。
【００３５】
ＭＵＴＥボタンｂｎ５は、送話の停止時に押下される。
【００３６】
ＭＥＳＳＡＧＥボタンｂｎ６は、留守電を再生する時に押下される。
【００３７】
Ｒｅｃｏｒｄｉｎｇボタンｂｎ７は、録音する時に押下される。
【００３８】
ＣＡＮＣＥＬボタンｂｎ８は、通話を終了する時に押下される。また、ＣＡＮＣＥＬボタンｂｎ８は、各操作のキャンセル時にも押下される。
【００３９】
ブランク領域３０ｘは、空白である。例えば、このブランク領域３０ｘに、ユーザがメモ等を記したタグシールを貼ってもよい。また、後述するＢＬＦキーに対応するユーザの名前等を記してもよい。
【００４０】
ＢＬＦキー領域３０ｗには、ＢＬＦキー群２８が配置される。ＢＬＦキー群２８は、１０個のＢＬＦキーｋ１〜ｋ１０を含む。各ＢＬＦキーｋ１〜ｋ１０は、後述する１２キー１７を用いてダイヤルする代わりに、ワンタッチ操作で、登録されている番号のスマートフォン５０に通話を転送したり、登録されている番号のスマートフォン５０に発信したり可能なハードキーである。また、各ＢＬＦキーｋ１〜ｋ１０は、それぞれＢＬＦキー用のＬＥＤ１８を有する。なお、各ＢＬＦキーｋ１〜ｋ１０の押下に伴って通話を転送したり、発信したり可能な電話機はスマートフォン５０に限定されず、ＰＢＸ８に接続されている電話通信端末（例えばＩＰ電話、アナログ電話）でもよい。
【００４１】
各ＢＬＦキー用のＬＥＤ１８は、それぞれ該当するスマートフォン５０のユーザの在席状態・通話状態を表示する。従って、ＢＬＦキーｋ１〜ｋ１０に番号が登録されているスマートフォン５０のユーザの在席状況及び通話状況は、一目瞭然である。なお、企業内の全てのユーザの在席状態及び通話状態は、前述したＰＢＸ８のプレゼンスサーバ８ｚのテーブルに登録されて管理される。
【００４２】
通信アダプタ１０は、ＰＢＸ８から該当するユーザの在席状態及び通話状態の通知を受けると、該当するユーザの番号に対応するＢＬＦキー用のＬＥＤ１８の点灯色を変更する。ここでは、ＬＥＤ１８の点灯が消灯している（つまり、点灯していない）場合、在席していることを表す。ＬＥＤ１８の点灯色が赤色である場合、不在又は通話中であることを表す。なお、在席している場合、さらに、通話中と非通話とで、ＢＬＦキー用のＬＥＤ１８の点灯色を異なる色にしてもよい。また、ＢＬＦキー用のＬＥＤ１８は、在席状況や通話状態に限らず、「在席しているが電話に出たくない」、「会議中」等、ユーザの状態をユーザの対応中の業務の種類に応じて、区別可能により詳細に表示してもよい。例えば、ＢＬＦキー用のＬＥＤ１８は、赤や緑色以外の点灯色に変更してもよいし、点灯数や点滅を変えて点灯してもよい。
【００４３】
１２キー領域には、１２キー１７が配置される。１２キー１７は、数値を入力可能な、「０」〜「９」の数字キー、及び「＊」と「＃」の記号キーを含む。
【００４４】
図３は、通信アダプタ１０のハードウェア構成を示すブロック図である。
【００４５】
通信アダプタ１０は、ＣＰＵ１１、ＲＡＭ（揮発メモリ）１２、フラッシュメモリ（不揮発メモリ）１３、ＢＬＥ処理部（ＢＬＥモジュール）１４、液晶表示器１５、ＢＬＥ用ＬＥＤ１６Ａ、着信用ＬＥＤ１６Ｂ、及びＢＬＦキー用ＬＥＤ１８を有する。
【００４６】
ＣＰＵ１１は、メモリとしてのＲＡＭ１２やフラッシュメモリ１３と協働して、各種の制御処理の実行を制御し、通信アダプタ１０の動作を統括的に制御する。
【００４７】
ＲＡＭ（揮発メモリ）１２は、ＣＰＵ１１のワーキングメモリとして使用される。例えば、ＲＡＭ１２には、ＰＢＸ８から受信したデータを基に、各ＢＬＦキーｋ１〜ｋ１０に対応するユーザの在席状態及び通話状態等が記憶される。
【００４８】
ＢＬＦキー用ＬＥＤ１８は、ＲＡＭ１２に記憶された在席状態及び通話状態の情報を基に点灯する。
【００４９】
フラッシュメモリ１３は、不揮発メモリであり、通信アダプタ１０の登録情報等を記憶する。登録情報として、例えばＢＬＦキーに対応する、ユーザが所持するスマートフォン５０の番号が挙げられる。
【００５０】
ＢＬＥ処理部（ＢＬＥモジュールの一例）１４は、スマートフォン５０とＢＬＥ通信を行う。
【００５１】
液晶表示器１５は、例えば４行分の情報やデータを表示可能なディスプレイであり、ＰＢＸ８から通知される通話先の名称や通話先の電話番号等を表示する。
【００５２】
ＢＬＥ用ＬＥＤ１６Ａは、スマートフォン５０と通信アダプタ１０との間のＢＬＥ通信の接続状態を示しており、ＢＬＥ通信が可能な状態（つまり、ＢＬＥによって接続されている状態）の時に点灯する。
【００５３】
着信用ＬＥＤ１６Ｂは、ＰＢＸ８から着信があると点滅し、着信後の通話の切断によって消灯する。また、着信用ＬＥＤ１６Ｂは、不在着信で通話相手の電話機から送られたメッセージを保存している状態であることも示す。
【００５４】
また、通信アダプタ１０は、前述したように、１２キー１７、ＢＬＦキー群２８、ボタン群３３、ソフトキーｋ１１〜ｋ１３を有する他、ブザー１９及びネットワークインターフェース（Ｉ／Ｆ）２０を有する。
【００５５】
ブザー１９は、例えば着信があった時に鳴動する。ネットワークＩ／Ｆ（ＩＰ通信機能）２０は、ＩＰ通信網（ＬＡＮ）を制御し、通信アダプタ１０とＩＰ通信網９０との接続を行う。
【００５６】
ネットワークＩ／Ｆ２０は、ＰＣ用コネクタ２１，ＰＢＸ用コネクタ２２を有し、ＰＣ用コネクタ２１を介してユーザＰＣと接続され、また、ＰＢＸ用コネクタ２２を介してＰＢＸ８及びアクセスポイント７０と接続される。
【００５７】
図４は、スマートフォン５０のハードウェア構成を示すブロック図である。
【００５８】
スマートフォン５０は、制御部５０６、記憶部５０４及びタッチパネル５０３を有する。
【００５９】
制御部５０６は、メモリ（例えば記憶部５０４）と協働して、各種の制御処理の実行を制御し、スマートフォン５０の動作を統括的に制御する。
【００６０】
記憶部５０４は、スマートフォン５０の動作に必要なプログラム及びデータを記憶するとともに、ユーザにより利用されるアプリケーションプログラム等も記憶する。
【００６１】
タッチパネル５０３は、ユーザのタッチ入力操作（タップ操作等）を受け付け、また、画面に画像やアイコン等を表示する。
【００６２】
また、スマートフォン５０は、４Ｇプロトコル制御部５０２及び４Ｇ無線Ｉ／Ｆ部５０１を有し、例えば４Ｇ（第４世代移動通信システム）の無線通信方式を用いて、モバイル網に接続された携帯電話機や他のスマートフォンと無線接続を行う。なお、スマートフォン５０が対応可能な通信規格は、４Ｇ（第４世代移動通信システム）に限定されず、例えば３Ｇ（第３世代移動通信システム）、５Ｇ（第５世代移動通信システム）などの他の通信規格であっても構わない。
【００６３】
スマートフォン５０は、音声バス５１５、音声入出力制御部５０５、スピーカ５１３及びマイク５１２を有し、外部に対して音声の入出力を行う。
【００６４】
また、スマートフォン５０は、ＩＰ通信制御部５０７及びＩＰ通信Ｉ／Ｆ部５０８を有し、無線ＬＡＮで接続されたアクセスポイント７０を介してＰＢＸ８及び通信アダプタ１０と音声データを送受信する。
【００６５】
また、スマートフォン５０は、ＢＬＥモジュール５２０を有し、ＢＬＥ（Bluetooth（登録商標） Low Energy）の通信規格を用いて、通信アダプタ１０との間でＢＬＥ通信を行うための接続の処理（例えばペアリング）や接続後の通信を行う。
【００６６】
また、スマートフォン５０は、ＵＳＢ通信Ｉ／Ｆ部５１１を有し、ＵＳＢ（Universal Serial Bus）規格のインタフェースを有する機器やメモリ等とデータを送受信する。
【００６７】
次に、本実施の形態の通信システム５の動作について、図面を参照して説明する。
【００６８】
（接続動作）
図５は、通信アダプタ１０とスマートフォン５０の初回接続動作を示すシーケンス図である。
【００６９】
なお、本明細書に添付する図面のシーケンス図では、スマートフォン５０のＩＰ通信機能に付した符号５０７は図４のＩＰ通信制御部５０７に対応し、スマートフォン５０のＢＬＥに付した符号５２０は図４のＢＬＥモジュール５２０に対応する。同様に、通信アダプタ１０のＩＰ通信機能に付した符号２０は図３のネットワークＩ／Ｆ２０に対応し、通信アダプタ１０のＢＬＥに付した符号１４は図３のＢＬＥ処理部１４に対応する。また、本明細書に添付する図面のシーケンス図の説明において、スマートフォン５０において、ＩＰ通信制御部５０７やＢＬＥモジュール５２０の動作（処理）は、制御部５０６からの実行制御に関する指示に基づいて行われる。同様に、本明細書に添付する図面のシーケンス図の説明において、通信アダプタ１０において、ネットワークＩ／Ｆ２０やＢＬＥ処理部１４の動作（処理）は、ＣＰＵ１１からの実行制御に関する指示に基づいて行われる。
【００７０】
図５において、通信アダプタ１０は、ユーザによってソフトキーｋ１１，ｋ１２，ｋ１３からの操作、又は設定メニューからの操作によって、ＣＡＬＬボタンｂｎ１が押下されると、ＢＬＥ処理部１４による、スマートフォン５０との接続を開始する（Ｔ１）。この接続開始時、ＢＬＥ処理部１４は、接続可能なスマートフォン５０に対して自分の存在を示すためにＡｄｖｅｒｔｉｓｅの情報をブロードキャストで配信する（Ｔ２）。
【００７１】
一方、スマートフォン５０は、ユーザによってタッチパネル５０３の接続開始ボタンｓｎ１（図７参照）が押下されると、ＢＬＥモジュール５２０による接続を開始する（Ｔ３）。この接続開始時、ＢＬＥモジュール５２０は、Ａｄｖｅｒｔｉｓｅの情報を配信している通信アダプタ１０の有無を走査して確認する（Ｔ４）。この走査による確認の結果、ＢＬＥモジュール５２０は、Ａｄｖｅｒｔｉｓｅの情報を配信している通信アダプタ１０を見つけると、見つけた通信アダプタ１０との接続を要求するＣｏｎｎｅｃｔコマンドをＢＬＥ処理部１４に送信する（Ｔ５）。
【００７２】
ＢＬＥ処理部１４は、ＢＬＥモジュール５２０からの接続要求に対し、応答を表すＯＫコマンドを返信する（Ｔ６）。
【００７３】
ＢＬＥモジュール５２０は、ＢＬＥ処理部１４に対し、相互通信可能なペアリング接続を要求するＰａｉｒｉｎｇコマンドを送信する（Ｔ７）。ＢＬＥ処理部１４は、Ｐａｉｒｉｎｇコマンドを受信すると、ペアリング接続要求に対し、応答を表すＯＫコマンド（つまり、相互接続の処理結果）を返信する（Ｔ８）。これにより、通信アダプタ１０とスマートフォン５０のＢＬＥ通信によるペアリング接続が行われる。
【００７４】
ＢＬＥ通信によるペアリング接続が行われると、ＢＬＥ処理部１４は、通信アダプタ１０のＩＰ情報等（例えばＩＰアドレス、ポート番号を含む）をＢＬＥモジュール５２０に送信する（Ｔ９）。このＩＰ情報は、通信アダプタ１０のＩＰ通信機能（つまり、ネットワークＩ／Ｆ２０）とスマートフォン５０のＩＰ通信機能（つまり、ＩＰ通信制御部５０７）との間でＩＰ通信を行うための情報の受け渡しに使用されており、ＢＬＥで通信することにより、スマートフォン６０の消費電力を抑えたスタンバイモードから、スマートフォン６０の消費電力を抑えないアクティブモードに移行させている。つまり、スタンバイモードからアクティブモードへの遷移は、ＢＬＥ通信がトリガとなっている。
【００７５】
ＢＬＥモジュール５２０は、ＢＬＥ処理部１４から通信アダプタ１０のＩＰ情報等を受信すると、スマートフォン５０内部で実行中のアプリケーション５０Ｍに通信アダプタのＩＰ情報等を転送する（Ｔ１０）。アプリケーション５０Ｍは、スマートフォン５０の制御部５０６が記憶部５０４から読み出して実行可能である。アプリケーション５０Ｍは、通信アダプタ１０のＩＰ情報等を受け取ると、スマートフォン５０のＩＰ情報等をＢＬＥモジュール５２０に転送する（Ｔ１１）。ＢＬＥモジュール５２０は、ＢＬＥ処理部１４に対し、スマートフォン５０のＩＰ情報等を送信する（Ｔ１２）。
【００７６】
上述した手順Ｔ１〜Ｔ１２の実行によって得られたＩＰ情報等を用いて、通信アダプタ１０とスマートフォン５０とは、ＩＰ通信による接続を開始する。アプリケーション５０Ｍが通信アダプタ１０のＩＰ情報をＩＰ通信機能（つまり、ＩＰ通信制御部５０７）に転送すると（Ｔ１３）、ＩＰ通信機能（つまり、ＩＰ通信制御部５０７）は、通信アダプタ１０のＩＰ通信機能（つまり、ネットワークＩ／Ｆ２０）に対し、ＩＰ通信の接続を要求するＣｏｎｎｅｃｔコマンドを送信する（Ｔ１４）。
【００７７】
ＩＰ通信機能（つまり、ネットワークＩ／Ｆ２０）は、ＩＰ通信の接続要求を受信すると、応答を表すＯＫコマンドをＩＰ通信機能（つまり、ＩＰ通信制御部５０７）に返信する（Ｔ１５）。
【００７８】
ＩＰ通信機能（つまり、ＩＰ通信制御部５０７）は、スマートフォン５０の状態をＩＰ通信機能（つまり、ネットワークＩ／Ｆ２０）に送信する（Ｔ１６）。ＩＰ通信機能（つまり、ネットワークＩ／Ｆ２０）は、応答を表すＯＫコマンドをＩＰ通信機能（つまり、ＩＰ通信制御部５０７）に返信する（Ｔ１７）。ＩＰ通信機能（つまり、ＩＰ通信制御部５０７）は、アプリケーション５０Ｍに接続結果を転送する（Ｔ１８）。この後、ＩＰ通信機能（つまり、ＩＰ通信制御部５０７）は、通信アダプタ１０とスマートフォン５０との接続確認を終了する（Ｔ１９）。上述した手順Ｔ１４〜Ｔ１９で通信アダプタ１０及びスマートフォン５０間のＩＰ通信が確認される。このＩＰ通信の接続の確認が終わると、スマートフォン５０は、アクティブモードからスタンバイモードに移行する。
【００７９】
続いて、通信アダプタ１０が、ＳＩＰ（Session Initiation Protocol）を用いて、ＰＢＸ８の特番に対して発信する動作を示す。特番とは、一般にＰＢＸの機能（内線、外線、転送、等）を利用する番号であり、ここでは、通信アダプタ１０が在席していることを通知する番号を表す。ＩＰ通信機能（つまり、ネットワークＩ／Ｆ２０）は、ＰＢＸ８に対し在席していることの通知を表す特番を要求するＩｎｖｉｔｅコマンドを送信する（Ｔ２０）。ＰＢＸ８は、このＩｎｖｉｔｅコマンドを受信すると、ＩＰ通信機能（つまり、ネットワークＩ／Ｆ２０）に対し、応答を表す「１００」コマンドを送信する（Ｔ２１）。更に、ＰＢＸ８は、鳴動を表す「１８０」コマンドを送信し（Ｔ２２）、続けて成功を表す「２００」コマンドを送信する（Ｔ２３）。ＩＰ通信機能（つまり、ネットワークＩ／Ｆ２０）は、これらのコマンドを受信すると、セッション接続の確認を表すＡｃｋコマンドをＰＢＸ８に返信する（Ｔ２４）。
【００８０】
ＰＢＸ８は、ＩＰ通信機能（つまり、ネットワークＩ／Ｆ２０）から特番にかかってきたことで、通信アダプタ１０が設置されたデスクにユーザが在席していると判断し、このユーザのプレゼンス状態を「在席」に変更し、プレゼンスサーバ８ｚを更新する（Ｔ２５）。
【００８１】
通信アダプタ１０のプレゼンス状態を変更した後、ＰＢＸ８は、セッション切断を表すＢＹＥコマンドをＩＰ通信機能（つまり、ネットワークＩ／Ｆ２０）に送信する（Ｔ２６）。ＩＰ通信機能（つまり、ネットワークＩ／Ｆ２０）は、セッション切断の確認を表すＡｃｋコマンドをＰＢＸ８に返信する（Ｔ２７）。
【００８２】
図６は、通信アダプタ１０とスマートフォン５０の２回目以降の接続動作を示すシーケンス図である。
【００８３】
２回目以降の接続動作では、既に、通信アダプタ１０とスマートフォン５０とのペアリングが済んでいるので、図５の手順Ｔ７，Ｔ８の処理は省かれる。つまり、図６において、ＢＬＥモジュール５２０は、手順Ｔ４の走査の結果、見つけた通信アダプタ１０のＢＬＥ処理部１４に対し、すぐさま接続を要求するＣｏｎｎｅｃｔコマンドを送信する（Ｔ５）。ＢＬＥ処理部１４は、ＢＬＥモジュール５２０からの接続要求に対し、応答を表すＯＫコマンドを返信する（Ｔ６）。この後、初回接続動作と同様、通信アダプタ１０とスマートフォン５０とのＩＰ通信の接続手順が開始する。
【００８４】
このように、２回目以降の接続動作では、ペアリング接続の動作が省略されるので、接続までの時間を短縮できる。
【００８５】
なお、ユーザがスマートフォン５０を持って席を離れる（つまり、不在にする）ことで、スマートフォン５０と通信アダプタ１０との間のＢＬＥ通信のリンクが外れること（つまり、途切れること）、又はユーザがスマートフォン５０の切断キー（図示せず）を押下することにより、スマートフォン５０と通信アダプタ１０との切断動作が行われる。
【００８６】
図７は、通信アダプタ１０とのＩＰ通信接続開始時のスマートフォン５０の画面遷移を示す図である。
【００８７】
始めに、スマートフォン５０は、タッチパネル５０３に走査開始画面ｇｍ１を表示する。走査開始画面ｇｍ１では、接続開始ボタンｓｎ１が表示される。接続開始ボタンｓｎ１が押下されると、スマートフォン５０は、タッチパネル５０３に走査中を表す走査中画面ｇｍ２を表示する。走査中画面ｇｍ２では、通信相手となる通信アダプタ１０が見つかるまで待機マークｍｋ１が動くように表示される。
【００８８】
走査が終了すると、スマートフォン５０は、タッチパネル５０３に走査結果画面ｇｍ３を表示する。走査結果画面ｇｍ３では、走査により見つかった通信アダプタ１０のリストＬ１が表示される。ここでは、走査結果として、３つの通信アダプタ１０が表示される。ユーザがリストＬ１に登録された通信アダプタ１０の表示位置を押下して選択すると、スマートフォン５０は、タッチパネル５０３に接続確認画面ｇｍ４を表示する。接続確認画面ｇｍ４では、通信アダプタ１０との接続準備ができているか否かを表すメッセージｍｓ１、取り消し（Ｃａｎｃｅｌ）ボタンｓｎ２及び許可（ＯＫ）ボタンｓｎ３が表示される。
【００８９】
ユーザがＯＫボタンｓｎ３を押下すると、スマートフォン５０は、タッチパネル５０３に接続中画面ｇｍ５を表示する。接続中画面ｇｍ５では、接続中を表す「ｃｏｎｎｅｃｔｉｎｇ」のメッセージｍｓ２が表示される。接続が完了すると、スマートフォン５０は、タッチパネル５０３にアイドル画面ｇｍ６（図１１Ｄ参照）を表示する。上述した順序で、ＩＰ通信接続開始時のスマートフォン５０の画面遷移が終了する。
【００９０】
以上により、実施の形態１の通信システム５は、ＰＢＸ８（電話交換機）と、スマートフォン５０（電話通信端末）と、ＰＢＸ８及びスマートフォン５０との間で通話に関する信号を送受信する通信アダプタ１０とを含む。通信アダプタ１０は、スマートフォン５０との接続に関するイベントを検知すると、ＢＬＥ通信（第１の通信の一例）を用いて、スマートフォン５０との間で、スマートフォン５０との間の相互接続の処理（例えばペアリング）を行う。スマートフォン５０は、通信アダプタ１０との間の相互接続の処理の後、ＩＰ通信（第２の通信の一例）を用いて、自端末に関する情報を通信アダプタ１０に送信する。通信アダプタ１０は、ＢＬＥ通信（第１の通信）を用いた相互接続の処理とＩＰ通信（第２の通信）によってスマートフォン５０から送信されたスマートフォン５０のＩＰ情報（電話通信端末に関する情報の一例）とに基づいて、ＰＢＸ８に、通信アダプタ１０との間のＩＰ通信が可能なスマートフォン５０のユーザが在席していることの通知として、ＰＢＸ８に特番発信（例えば、Ｉｎｖｉｔｅコマンドの信号の送信）を行う。
【００９１】
これにより、通信システム５は、通話相手の電話機からの着信が発生して他の人物の電話機に転送する場合に、その他の人物が在席しているかどうかを迅速に状況確認し、必要に応じて、その他の人物の電話機への着信転送を効率的に支援することができる。
【００９２】
また、スマートフォン５０及び通信アダプタ１０は、ユーザ毎にそれぞれ設けられる。ＰＢＸ８は、ＰＢＸ８に接続される個々の通信アダプタ１０毎に、それぞれの通信アダプタ１０とＩＰ通信を用いたスマートフォン５０の有無を示す情報を保持するテーブル（メモリの一例）を記憶するプレゼンスサーバ８ｚを有する。ＰＢＸ８は、少なくとも１つの通信アダプタ１０から送信された、ＩＰ通信が可能なスマートフォン５０が在席していることの通知を表すＩｎｖｉｔｅ信号に基づいて、プレゼンスサーバ８ｚに記憶されたテーブルを更新する。これにより、ＰＢＸ８は、電話通信端末をそれぞれ所持する複数のユーザの在席状況を一元管理することができる。
【００９３】
また、通信アダプタ１０は、ＢＬＥ通信を用いてペアリング接続（相互接続）の処理を完了した、スマートフォン５０の存在を報知する。これにより、ユーザは、自身の在席状態を確認でき、着信待ちの状態や発信可能な状態で待機できる。
【００９４】
また、通信アダプタ１０は、スマートフォン５０毎に、スマートフォン５０の存在を報知する、ＢＬＦキー用ＬＥＤ１８（発光部の一例）が配置された複数のＢＬＦキーｋ１〜ｋ１０を有する。通信アダプタ１０は、複数のＢＬＦキーｋ１〜ｋ１０にそれぞれ対応する、スマートフォン５０の番号をフラッシュメモリ１３（第２メモリの一例）に登録しておくことで、ＰＢＸ８からの情報を基にそれぞれ対応するスマートフォン５０の状態を表示できる。これにより、ユーザは、自身及び他のスマートフォンを所持するユーザの在席状態を容易に知ることができ、しかも、在席しているユーザのスマートフォンとの接続に関するイベントをワンタッチ操作で行うことができる。
【００９５】
（実施の形態２の内容に至る経緯）
上述した特許文献１では、ユーザの所持するスマートフォンを、宅内のコードレス親機に対するコードレス子機として登録して使用できることは開示されている。しかし、特許文献１のような従来技術では、ユーザの所持するスマートフォンを、例えば企業内等に設置された電話交換機に接続可能な業務用のコードレス電話機として利用することは想定されていない。
【００９６】
このため、例えば業務上、通話に関するイベント（例えば着信又は発信）が発生する時、ユーザ（つまり、従業員）は、自分の所持するスマートフォンを手に取って、その通話に関するイベントの内容に合わせて必要な操作を逐一行うことが求められる。ところが、そのような操作に不慣れなユーザにとっては、業務において自分のスマートフォンを用いた操作性が良くないことがあり、業務の一部が遮られることがある等、業務効率の低下を招くことも考えられる。
【００９７】
そこで、実施の形態２では、通話に関するイベントの内容に合わせた必要な操作に不慣れなユーザであっても、業務において自分のスマートフォンをコードレス電話機として利用する際の操作性の劣化を抑制し、業務効率の向上を支援する通信システム、通信方法及び通信アダプタの例を説明する。
【００９８】
（実施の形態２）
実施の形態２における通信システム５の構成は、実施の形態１と同一であるので、同一の符号を用いることで、その説明を省略する。
【００９９】
（着信動作）
図８は、通信アダプタ１０が着信応答を行う場合の着信動作手順を示すシーケンス図である。
【０１００】
図９は、図８に続く通信アダプタが着信応答を行う場合の着信動作手順を示すシーケンス図である。
【０１０１】
なお、本明細書に添付する図面のシーケンス図では、通信アダプタ１０のＲＴＰに付した符号４０は図３のＣＰＵ１１に対応し、スマートフォン５０のＲＴＰに付した符号５１０は図４の制御部５０６に対応する。
【０１０２】
着信動作前、スマートフォン５０は、電力消費を抑えたスタンバイモードで動作している。図８において、通信アダプタ１０のＩＰ通信機能（つまり、ネットワークＩ／Ｆ２０）はＰＢＸ８から着信を伝えるＩｎｖｉｔｅコマンドを受信すると（Ｔ３１）、ＰＢＸ８に対して、着信応答を表す「１００」コマンドを返信する（Ｔ３２）。ＢＬＥ処理部１４は、スマートフォン５０のＢＬＥモジュール５２０に通信アダプタ１０のＩＰ情報を送信する（Ｔ３３）。このＩＰ情報は、スマートフォン５０をスタンバイモードからアクティブモードに移行させるデータ（信号）である。
【０１０３】
ＢＬＥモジュール５２０は、通信アダプタのＩＰ情報を受け取ると、アプリケーション５０Ｍに転送する（Ｔ３４）。アプリケーション５０Ｍは、通信アダプタのＩＰ情報を受けると、起動し、スマートフォン５０をスタンバイモードからアクティブモードに移行させる（Ｔ３５）。アプリケーション５０Ｍは、ＩＰ通信機能（つまり、ＩＰ通信制御部５０７）に対し、通信アダプタのＩＰ情報を用いてＩＰ通信接続を指示する（Ｔ３６）。ＩＰ通信機能（つまり、ＩＰ通信制御部５０７）は、通信アダプタ１０のＩＰ通信機能（つまり、ネットワークＩ／Ｆ２０）に対し、ＩＰ通信接続を要求するＣｏｎｎｅｃｔコマンドを送信する（Ｔ３７）。ＩＰ通信機能（つまり、ネットワークＩ／Ｆ２０）は、ＩＰ通信機能（つまり、ＩＰ通信制御部５０７）に応答を表すＯＫコマンドを返信する（Ｔ３８）。ＩＰ通信機能（つまり、ＩＰ通信制御部５０７）は、アプリケーション５０ＭにＯＫコマンドを転送する（Ｔ３９）。
【０１０４】
ＩＰ通信機能（つまり、ネットワークＩ／Ｆ２０）は、ＩＰ通信機能（つまり、ＩＰ通信制御部５０７）に着信開始を送信する（Ｔ４０）。この着信開始では、ＩＰ通信機能（つまり、ネットワークＩ／Ｆ２０）は、ＩＰ通信機能（つまり、ＩＰ通信制御部５０７）に対し、ＰＢＸ８に接続された相手先の名前、番号を通知する。ＩＰ通信機能（つまり、ＩＰ通信制御部５０７）は、アプリケーション５０Ｍに相手先の名前、番号を転送する（Ｔ４１）。
【０１０５】
アイドル画面ｇｍ６において、通信アダプタ１０からの着信を受けると、アプリケーション５０Ｍは、スマートフォン５０のタッチパネル５０３に、着信画面ｇｍ７を表示し、スピーカ５１３に着信音を鳴動させる（Ｔ４２）。
【０１０６】
図１１Ａは、着信画面ｇｍ７を示す図である。
【０１０７】
着信画面ｇｍ７には、着信の表示「Ｉｎｃｏｍｉｎｇ  ＣＡＬＬ」、通話開始ボタンｓｎ６、通話終了ボタンｓｎ７等が表示される。
【０１０８】
アプリケーション５０Ｍは、着信を開始したことをＩＰ通信機能（つまり、ＩＰ通信制御部５０７）に返す（Ｔ４３）。ＩＰ通信機能（つまり、ＩＰ通信制御部５０７）は、通信アダプタ１０のＩＰ通信機能（つまり、ＩＰ通信制御部５０７）に着信を開始したことを返信する（Ｔ４４）。ＩＰ通信機能（つまり、ネットワークＩ／Ｆ２０）は、ＰＢＸ８に対し、スマートフォン５０が鳴動したことを表す「１８０」コマンドを返信する（Ｔ４５）。
【０１０９】
ユーザが通信アダプタ１０のＣＡＬＬボタンｂｎ１を押下して着信応答すると、ＩＰ通信機能（つまり、ネットワークＩ／Ｆ２０）は、着信応答したことを表す「２００」コマンドをＰＢＸ８に送信する（Ｔ４７）。「２００」コマンドのＳＤＰは、通話に使用されるプロトコル等の情報を含む。ＰＢＸ８は、「２００」コマンドを受信すると、ＩＰ通信機能（つまり、ネットワークＩ／Ｆ２０）に応答を表すＡｃｋコマンドを返信する（Ｔ４８）。
【０１１０】
ＩＰ通信機能（つまり、ネットワークＩ／Ｆ２０）は、ＲＴＰ（Real time Transports Protocol）開始をＩＰ通信機能（つまり、ＩＰ通信制御部５０７）に送信する（Ｔ４９）。スマートフォン５０において、ＲＴＰ開始では、ＩＰ通信機能（つまり、ＩＰ通信制御部５０７）は、アプリケーション５０ＭにＲＴＰ開始の指示を転送する（Ｔ５０）。
【０１１１】
アプリケーション５０Ｍは、ＲＴＰ開始の指示を受け取ると、ＲＴＰ５１０（つまり、制御部５０６）にポート開放を要求する（Ｔ５１）。ＲＴＰ５１０（つまり、制御部５０６）は、制御部５０６において実行される。ＲＴＰ５１０（つまり、制御部５０６）は、この要求に応じて、ポートを開放し（Ｔ５２）、この開放結果をアプリケーション５０Ｍに返す（Ｔ５３）。アプリケーション５０Ｍは、ＲＴＰ開始結果をＩＰ通信機能（つまり、ＩＰ通信制御部５０７）に送信する（Ｔ５４）。ＲＴＰ開始結果は、スマートフォン５０のＩＰアドレス、ポート番号を含む。
【０１１２】
ＩＰ通信機能（つまり、ＩＰ通信制御部５０７）は、ＲＴＰ開始結果をＩＰ通信機能（つまり、ネットワークＩ／Ｆ２０）に返信する（Ｔ５５）。ＲＴＰ４０（つまり、ＣＰＵ１１）は、ポートを開放する（Ｔ５７）。
【０１１３】
アプリケーション５０Ｍは、通話画面ｇｍ９を表示する（Ｔ５８）。
【０１１４】
図１１Ｂは、通話画面ｇｍ９を示す図である。
【０１１５】
通話画面ｇｍ９には、通話相手の名前、番号、通話中の表示「Ｔａｌｋｉｎｇ」、通話時間、通話終了ボタンｓｎ７等が表示される。アプリケーション５０Ｍは、ＲＴＰ５１０（つまり、制御部５０６）と音声接続を行う（Ｔ５９）。ＲＴＰ４０（つまり、ＣＰＵ１１）とＲＴＰ５１０（つまり、制御部５０６）とがＲＴＰ通信で接続されることで、通信アダプタ１０は、ＰＢＸ８に接続された通話相手とスマートフォン５０との間で転送される音声データを中継する（Ｔ６０）。
【０１１６】
続いて、スマートフォン５０が着信応答を行う場合の着信動作を示す。
【０１１７】
図１０は、スマートフォン５０が着信応答を行う場合の着信動作手順を示すシーケンス図である。
【０１１８】
前述した手順Ｔ３１〜Ｔ４５までの動作は、スマートフォン５０が着信応答を行う場合も同様である。
【０１１９】
アプリケーション５０Ｍは、ユーザの操作による着信応答を受け付けると（Ｔ７１）、ＩＰ通信機能（つまり、ＩＰ通信制御部５０７）に着信応答を送信する（Ｔ７２）。ＩＰ通信機能（つまり、ＩＰ通信制御部５０７）は、ＩＰ通信機能（つまり、ネットワークＩ／Ｆ２０）に着信応答を転送する（Ｔ７３）。ＩＰ通信機能（つまり、ネットワークＩ／Ｆ２０）は、スマートフォン５０が着信応答したことを表す「２００」コマンドをＰＢＸ８に送信する（Ｔ７４）。
【０１２０】
ＩＰ通信機能（つまり、ネットワークＩ／Ｆ２０）は、着信応答の結果をＩＰ通信機能（つまり、ＩＰ通信制御部５０７）に送信する（Ｔ７５）。ＩＰ通信機能（つまり、ＩＰ通信制御部５０７）は、アプリケーション５０Ｍに着信応答の結果を転送する（Ｔ７６）。
【０１２１】
また、ＩＰ通信機能（つまり、ネットワークＩ／Ｆ２０）は、ＲＴＰ開始及び付加情報（コーデック、ＩＰアドレス、ポート番号、ＳＲＴＰ（Secure Real time Transport Protocol））をＩＰ通信機能（つまり、ＩＰ通信制御部５０７）に送信する（Ｔ７７）。ＩＰ通信機能（つまり、ＩＰ通信制御部５０７）は、アプリケーション５０ＭにＲＴＰ開始及び付加情報を転送する（Ｔ７８）。
【０１２２】
アプリケーション５０Ｍは、ＲＴＰ５１０（つまり、制御部５０６）にポート開放を指示する（Ｔ７９）。ＲＴＰ５１０（つまり、制御部５０６）は、この指示に従い、ポートを開放し（Ｔ８０）、開放結果をアプリケーション５０Ｍに返す（Ｔ８１）。アプリケーション５０Ｍは、ＲＴＰ開始結果をＩＰ通信機能（つまり、ＩＰ通信制御部５０７）に送信する（Ｔ８２）。ＲＴＰ開始結果は、スマートフォン５０のＩＰアドレス及びポート番号を含む。
【０１２３】
ＩＰ通信機能（つまり、ＩＰ通信制御部５０７）は、ＲＴＰ開始結果をＩＰ通信機能（つまり、ネットワークＩ／Ｆ２０）に転送する（Ｔ８３）。加えてＩＰ通信機能（つまり、ネットワークＩ／Ｆ２０）が、手順Ｔ７４の「２００」コマンドの応答として、ＰＢＸ８からＡｃｋを受信することによって（Ｔ８４）、ＲＴＰ４０（つまり、ＣＰＵ１１）は、ポートを開放する（Ｔ８５）。
【０１２４】
アプリケーション５０Ｍは、前述した通話画面ｇｍ９を表示する（Ｔ８６）。アプリケーション５０Ｍは、ＲＴＰ５１０（つまり、制御部５０６）と音声接続を行う（Ｔ８７）。ＲＴＰ４０（つまり、ＣＰＵ１１）とＲＴＰ５１０（つまり、制御部５０６）とが接続されることで、通信アダプタ１０は、ＰＢＸ８に接続された通話相手と、スマートフォン５０との間で転送される音声データを中継する（Ｔ８８）。
【０１２５】
（発信動作）
図１２は、発信動作手順を示すシーケンス図である。
【０１２６】
図１３は、図１２に続く発信動作手順を示すシーケンス図である。
【０１２７】
発信動作前、スマートフォン５０は、電力消費を抑えたスタンバイモードで動作している。図１２において、ユーザが通信アダプタ１０に対し、１２キー１７を押下して番号を入力し、ＣＡＬＬボタンｂｎ１を押下すると、ＢＬＥ処理部１４は、発信指示を行う（Ｔ１０１）。なお、ＢＬＦキーに発信先の番号が登録されている場合、１２キーの代わりにＢＬＦキーを押下してもよく、ワンタッチ操作で発信が可能となる。ＢＬＥ処理部１４は、通信アダプタ１０のＩＰ情報をスマートフォン５０に送信する（Ｔ１０２）。
【０１２８】
スマートフォン５０のＢＬＥモジュール５２０は、ＢＬＥ処理部１４から通信アダプタ１０のＩＰ情報を受信すると、アプリケーション５０Ｍに転送する（Ｔ１０３）。アプリケーション５０Ｍは、起動し、スマートフォン５０をスタンバイモードからアクティブモードに移行させる（Ｔ１０４）。アプリケーション５０Ｍは、ＩＰ通信機能（つまり、ＩＰ通信制御部５０７）に通信アダプタ１０のＩＰ情報を通知し、ＩＰ通信接続を指示する（Ｔ１０５）。
【０１２９】
ＩＰ通信機能（つまり、ＩＰ通信制御部５０７）は、通信アダプタ１０のＩＰ通信機能（つまり、ネットワークＩ／Ｆ２０）にＣｏｎｎｅｃｔコマンドを送信して接続を行う（Ｔ１０６）。ＩＰ通信機能（つまり、ネットワークＩ／Ｆ２０）は、接続の許可を表すＯＫコマンドをＩＰ通信機能（つまり、ＩＰ通信制御部５０７）に返信する（Ｔ１０７）。ＩＰ通信機能（つまり、ＩＰ通信制御部５０７）は、ＯＫコマンドを受信すると、アプリケーション５０Ｍに転送する（Ｔ１０８）。
【０１３０】
続けて、ＩＰ通信機能（つまり、ネットワークＩ／Ｆ２０）は、発信開始（相手先の名前及び番号を含む）をＩＰ通信機能（つまり、ＩＰ通信制御部５０７）に送信する（Ｔ１０９）。ＩＰ通信機能（つまり、ＩＰ通信制御部５０７）は、発信開始（相手先の名前及び番号を含む）を受信すると、アプリケーション５０Ｍに転送する（Ｔ１１０）。
【０１３１】
アプリケーション５０Ｍは、タッチパネル５０３に発信画面ｇｍ８を表示する。
【０１３２】
図１１Ｃは、発信画面ｇｍ８を示す図である。
【０１３３】
発信画面ｇｍ８には、通話相手の名前、番号、通話終了ボタンｓｎ７等が表示される。
【０１３４】
アプリケーション５０Ｍは、発信開始結果をＩＰ通信機能５０７に返す（Ｔ１１２）。ＩＰ通信機能５０７は、発信開始結果をＩＰ通信機能（つまり、ネットワークＩ／Ｆ２０）に送信する（Ｔ１１３）。ＩＰ通信機能（つまり、ネットワークＩ／Ｆ２０）は、ＰＢＸ８に対し、電話をかけることを表すＩｎｖｉｔｅコマンドを送信する（Ｔ１１４）。ＰＢＸ８は、電話の応答を表す「１００」コマンドをＩＰ通信機能（つまり、ネットワークＩ／Ｆ２０）に返信する（Ｔ１１５）。さらに、ＰＢＸ８は、相手先の電話機が鳴動していることを表す「１８０」コマンドをＩＰ通信機能（つまり、ネットワークＩ／Ｆ２０）に送信する（Ｔ１１６）。
【０１３５】
ＩＰ通信機能（つまり、ネットワークＩ／Ｆ２０）は、ＲＢＴ（リングバックトーン：呼出音）開始をスマートフォン５０のＩＰ通信機能（つまり、ＩＰ通信制御部５０７）に送信する（Ｔ１１７）。ＩＰ通信機能（つまり、ＩＰ通信制御部５０７）は、ＲＢＴ開始をアプリケーション５０Ｍに転送する（Ｔ１１８）。アプリケーション５０Ｍは、ＲＢＴ開始を受けると、スピーカ５１３から呼出音を鳴動する（Ｔ１１９）。アプリケーション５０Ｍは、ＲＢＴ開始結果をＩＰ通信機能（つまり、ＩＰ通信制御部５０７）に返す（Ｔ１２０）。ＩＰ通信機能（つまり、ＩＰ通信制御部５０７）は、ＲＢＴ開始結果をＩＰ通信機能（つまり、ネットワークＩ／Ｆ２０）に送信する（Ｔ１２１）。
【０１３６】
ＩＰ通信機能（つまり、ネットワークＩ／Ｆ２０）は、ＰＢＸ８から通話先の相手が応答した（電話に出た）ことを表す「２００」コマンド（ＳＤＰを含む）を受信すると（Ｔ１２２）、ＩＰ通信機能（つまり、ＩＰ通信制御部５０７）にＲＴＰ開始を送信する（Ｔ１２３）。ＲＴＰ開始は、付加情報（コーデック、ＩＰアドレス、ポート番号、ＳＲＴＰ）を含む。
【０１３７】
ＩＰ通信機能（つまり、ＩＰ通信制御部５０７）は、ＲＴＰ開始をアプリケーション５０Ｍに転送する（Ｔ１２４）。アプリケーション５０Ｍは、ＲＴＰ開始を受けると、ＲＴＰ５１０（つまり、制御部５０６）にポート開放を指示する（Ｔ１２５）。ＲＴＰ５１０（つまり、制御部５０６）は、この指示に従い、ポートを開放し（Ｔ１２６）、開放結果をアプリケーション５０Ｍに返す（Ｔ１２７）。アプリケーション５０Ｍは、ＲＴＰ開始結果をＩＰ通信機能（つまり、ＩＰ通信制御部５０７）に送信する（Ｔ１２８）。ＲＴＰ開始結果は、ＩＰアドレス、ポート番号を含む。ＩＰ通信機能（つまり、ＩＰ通信制御部５０７）は、ＩＰ通信機能（つまり、ネットワークＩ／Ｆ２０）にＲＴＰ開始結果を送信する（Ｔ１２９）。ＩＰ通信機能（つまり、ネットワークＩ／Ｆ２０）は、手順Ｔ１２２における「２００」コマンドの応答として、スマートフォン５０と同期が取れたことを表すＡｃｋコマンドを返信する（Ｔ１３０）。ＲＴＰ４０（つまり、ＣＰＵ１１）は、ポートを開放する（Ｔ１３１）。
【０１３８】
アプリケーション５０Ｍは、タッチパネル５０３に、前述した通話画面ｇｍ９（図１１Ｂ参照）を表示する（Ｔ１３２）。アプリケーション５０Ｍは、ＲＴＰ５１０（つまり、制御部５０６）と音声接続を行う（Ｔ１３３）。この後、通信アダプタ１０は、通信アダプタ１０とスマートフォン５０との間で転送される音声データを中継する（Ｔ１３４）。
【０１３９】
（通話転送）
図１４は、通話転送の動作を示すシーケンス図である。
【０１４０】
図１５は、図１４に続く通話転送の動作を示すシーケンス図である。
【０１４１】
図１６は、図１４及び図１５に続く通話転送の動作を示すシーケンス図である。
【０１４２】
図１４において、ＰＢＸ８に接続されている通話先の電話機（電話通信端末）と、スマートフォン５０との通話中（Ｔ２０１）、ユーザが通信アダプタ１０のＴＲＡＮＳＦＥＲボタンｂｎ２を押下して通話転送を指示すると、通信アダプタ１０のＩＰ通信機能（つまり、ネットワークＩ／Ｆ２０）は、転送開始を行う（Ｔ２０２）。
【０１４３】
ＩＰ通信機能（つまり、ネットワークＩ／Ｆ２０）は、通話一時切断をスマートフォン５０のＩＰ通信機能（つまり、ＩＰ通信制御部５０７）に送信する（Ｔ２０３）。ＩＰ通信機能（つまり、ＩＰ通信制御部５０７）は、通話一時切断をアプリケーション５０Ｍに転送する（Ｔ２０４）。アプリケーション５０Ｍは、通話一時切断を受けると、音声を切断する（Ｔ２０５）。アプリケーション５０Ｍは、ポートの閉鎖をＲＴＰ５１０（つまり、制御部５０６）に指示する（Ｔ２０６）。ＲＴＰ５１０（つまり、制御部５０６）は、この指示に従い、ポートを閉鎖し（Ｔ２０７）、閉鎖結果をアプリケーション５０Ｍに返す（Ｔ２０８）。アプリケーション５０Ｍは、通話画面ｇｍ９（図１１Ｂ参照）から発信画面ｇｍ８（図１１Ｃ参照）に表示を切り替える（Ｔ２０９）。アプリケーション５０Ｍは、通話一時切断結果をＩＰ通信機能（つまり、ＩＰ通信制御部５０７）に送信する（Ｔ２１０）。ＩＰ通信機能（つまり、ＩＰ通信制御部５０７）は、ＩＰ通信機能（つまり、ネットワークＩ／Ｆ２０）に通話一時切断結果を送信する（Ｔ２１１）。
【０１４４】
ＩＰ通信機能（つまり、ネットワークＩ／Ｆ２０）は、通話一時切断結果を受信すると、ＤＴ（ダイヤルトーン）開始をＩＰ通信機能（つまり、ＩＰ通信制御部５０７）に送信する（Ｔ２１２）。ＩＰ通信機能（つまり、ＩＰ通信制御部５０７）は、アプリケーション５０ＭにＤＴ開始を転送する（Ｔ２１３）。アプリケーション５０Ｍは、ＤＴ開始を受けると、ダイヤルトーンの鳴動を開始する（Ｔ２１４）。アプリケーション５０Ｍは、ＤＴ開始結果をＩＰ通信機能（つまり、ＩＰ通信制御部５０７）に返す（Ｔ２１５）。ＩＰ通信機能（つまり、ＩＰ通信制御部５０７）は、ＩＰ通信機能（つまり、ネットワークＩ／Ｆ２０）にＤＴ開始結果を送信する（Ｔ２１６）。
【０１４５】
ＩＰ通信機能（つまり、ネットワークＩ／Ｆ２０）は、ＰＢＸ８側との通話（第１呼）を一旦保留にする、Ｒｅ−ＩｎｖｉｔｅコマンドをＰＢＸ８に送信する（Ｔ２１７）。ＰＢＸ８は、通話の一旦保留を受け付けたことを表す「２００」コマンドをＩＰ通信機能（つまり、ネットワークＩ／Ｆ２０）に返信する（Ｔ２１８）。
【０１４６】
ユーザが通信アダプタ１０に対し、１２キー１７を押下して転送先（第２呼）の番号を入力し、ＣＡＬＬボタンｂｎ１を押下すると、ＩＰ通信機能（つまり、ネットワークＩ／Ｆ２０）は、発信指示を行う（Ｔ２１９）。なお、ＢＬＦキーに転送先の番号が登録されている場合、１２キーの代わりにＢＬＦキーを押下してもよく、ワンタッチ操作で発信が可能となる。ＩＰ通信機能（つまり、ネットワークＩ／Ｆ２０）は、ＩＰ通信機能（つまり、ＩＰ通信制御部５０７）に対し、第２呼の発信開始を送信する（Ｔ２２０）。ＩＰ通信機能（つまり、ＩＰ通信制御部５０７）は、アプリケーション５０Ｍに第２呼の発信開始を転送する（Ｔ２２１）。第２呼の発信開始は、通話相手の名前、番号を含む。アプリケーション５０Ｍは、前述した発信画面ｇｍ８（図１１Ｃ参照）を表示する（Ｔ２２２）。
【０１４７】
アプリケーション５０Ｍは、発信開始結果をＩＰ通信機能（つまり、ＩＰ通信制御部５０７）に返す（Ｔ２２３）。ＩＰ通信機能（つまり、ＩＰ通信制御部５０７）は、ＩＰ通信機能（つまり、ネットワークＩ／Ｆ２０）に発信開始結果を送信する（Ｔ２２４）。ＩＰ通信機能（つまり、ネットワークＩ／Ｆ２０）は、発信開始結果を受信すると、ＰＢＸ８に電話（第２呼）をかけることを表すＩｎｖｉｔｅコマンドを送信する（Ｔ２２５）。
【０１４８】
ＰＢＸ８は、電話を受けたこと（応答）を表す「１００」コマンドをＩＰ通信機能（つまり、ネットワークＩ／Ｆ２０）に返信する（Ｔ２２６）。さらに、ＰＢＸ８は、相手の電話機が鳴動中であることを表す「１８０」コマンドをＩＰ通信機能（つまり、ネットワークＩ／Ｆ２０）に送信する（Ｔ２２７）。ＩＰ通信機能（つまり、ネットワークＩ／Ｆ２０）は、ＲＢＴ（リングバックトーン：呼出音）開始をスマートフォン５０のＩＰ通信機能（つまり、ＩＰ通信制御部５０７）に送信する（Ｔ２２８）。ＩＰ通信機能（つまり、ＩＰ通信制御部５０７）は、アプリケーション５０ＭにＲＢＴ開始を転送する（Ｔ２２９）。アプリケーション５０Ｍは、ＲＢＴ開始を受けると、スピーカ５１３から呼出音を鳴動する（Ｔ２３０）。アプリケーション５０Ｍは、ＲＢＴ開始結果をＩＰ通信機能（つまり、ＩＰ通信制御部５０７）に返す（Ｔ２３１）。ＩＰ通信機能（つまり、ＩＰ通信制御部５０７）は、ＩＰ通信機能（つまり、ネットワークＩ／Ｆ２０）にＲＢＴ開始結果を送信する（Ｔ２３２）。
【０１４９】
ＰＢＸ８は、転送先の通話相手が電話に応答したことを表す「２００」コマンド（ＳＤＰを含む）をＩＰ通信機能（つまり、ネットワークＩ／Ｆ２０）に送信する（Ｔ２３３）。ＩＰ通信機能（つまり、ネットワークＩ／Ｆ２０）は、ＩＰ通信機能（つまり、ＩＰ通信制御部５０７）に、転送先との通話開始を表すＲＴＰ開始を送信する（Ｔ２３４）。ＲＴＰ開始は、付加情報（コーデック、ＩＰアドレス、ポート番号、ＳＲＴＰ）を含む。ＩＰ通信機能（つまり、ＩＰ通信制御部５０７）は、アプリケーション５０ＭにＲＴＰ開始を転送する（Ｔ２３５）。
【０１５０】
アプリケーション５０Ｍは、ＲＴＰ開始を受けると、ＲＴＰ５１０（つまり、制御部５０６）にポート開放を指示する（Ｔ２３６）。ＲＴＰ５１０（つまり、制御部５０６）は、この指示に従い、ポートを開放し（Ｔ２３７）、開放結果をアプリケーション５０Ｍに返す（Ｔ２３８）。アプリケーション５０Ｍは、ＲＴＰ開始結果をＩＰ通信機能（つまり、ＩＰ通信制御部５０７）に送信する（Ｔ２３９）。ＲＴＰ開始結果は、ＩＰアドレス、ポート番号を含む。ＩＰ通信機能（つまり、ＩＰ通信制御部５０７）は、ＩＰ通信機能（つまり、ネットワークＩ／Ｆ２０）にＲＴＰ開始結果を送信する（Ｔ２４０）。ＩＰ通信機能（つまり、ネットワークＩ／Ｆ２０）は、手順Ｔ２２５におけるＩｎｖｉｔｅコマンドの応答として、スマートフォン５０と同期が取れたことを表すＡｃｋコマンドを返信する（Ｔ２４１）。ＲＴＰ４０（つまり、ＣＰＵ１１）は、ポートを開放する（Ｔ２４２）。
【０１５１】
スマートフォン５０のアプリケーション５０Ｍは、タッチパネル５０３に前述した通話画面ｇｍ９（図１１Ｂ参照）を表示する（Ｔ２４３）。アプリケーション５０Ｍは、ＲＴＰ５１０（つまり、制御部５０６）と音声接続を行う（Ｔ２４４）。この後、通信アダプタ１０は、通信アダプタ１０とスマートフォン５０との間で転送される音声データを中継する（Ｔ２４５）。
【０１５２】
ユーザがＴＲＡＮＳＦＥＲボタンｂｎ２を押下して転送実行を指示すると、通信アダプタ１０のＩＰ通信機能（つまり、ネットワークＩ／Ｆ２０）は、転送を実行する（Ｔ２４６）。ＩＰ通信機能（つまり、ネットワークＩ／Ｆ２０）は、第１呼の転送を表すＲｅｆｅｒコマンドをＰＢＸ８に送信し（Ｔ２４７）、元の通信（第１呼）を転送する旨をＰＢＸ８に指示する。ＰＢＸ８は、この指示を受諾したことを表す「２０２」コマンドをＩＰ通信機能（つまり、ネットワークＩ／Ｆ２０）に返信する（Ｔ２４８）。ＩＰ通信機能（つまり、ネットワークＩ／Ｆ２０）は、応答を表す「２００」コマンドをＰＢＸ８に送信する（T２４９）。さらに、ＰＢＸ８は、BYEコマンドをＩＰ通信機能（つまり、ネットワークＩ／Ｆ２０）に送信し、転送先の通信（第２呼）との音声通話を切断する（Ｔ２５０）。ＩＰ通信機能（つまり、ネットワークＩ／Ｆ２０）は、この切断の応答を表すＡｃｋコマンドをＰＢＸ８に返信する（Ｔ２５１）。
【０１５３】
通信アダプタ１０のＲＴＰ４０（つまり、ＣＰＵ１１）は、ポートを閉鎖する（Ｔ２５２）。ＩＰ通信機能（つまり、ネットワークＩ／Ｆ２０）は、通話切断をスマートフォン５０のＩＰ通信機能（つまり、ＩＰ通信制御部５０７）に送信する（Ｔ２５３）。ＩＰ通信機能（つまり、ＩＰ通信制御部５０７）は、アプリケーション５０Ｍに通話切断を転送する（Ｔ２５４）。アプリケーション５０Ｍは、通話切断を受けると、音声を切断し（Ｔ２５５）、ＲＴＰ５１０（つまり、制御部５０６）にポートの閉鎖を指示する（Ｔ２５６）。ＲＴＰ５１０（つまり、制御部５０６）は、この指示に従ってポートを閉鎖し（Ｔ２５７）、ポートの閉鎖結果をアプリケーション５０Ｍに返す（Ｔ２５８）。アプリケーション５０Ｍは、タッチパネル５０３にアイドル（Ｉｄｌｅ）画面ｇｍ６（図１１Ｄ参照）を表示する（Ｔ２５８）。
【０１５４】
図１１Ｄは、アイドル画面ｇｍ６を示す図である。
【０１５５】
アプリケーション５０Ｍは、通話切断結果をＩＰ通信機能（つまり、ＩＰ通信制御部５０７）に返す（Ｔ２６０）。ＩＰ通信機能（つまり、ＩＰ通信制御部５０７）は、ＩＰ通信機能（つまり、ネットワークＩ／Ｆ２０）に通話切断結果を転送する（Ｔ２６１）。ＩＰ通信機能（つまり、ＩＰ通信制御部５０７）は、ＩＰ通信を遮断する（Ｔ２６２）。
【０１５６】
ＰＢＸ８は、ＢＹＥコマンドをＩＰ通信機能（つまり、ネットワークＩ／Ｆ２０）に送信し、転送元の通信（第１呼の一例）との音声通話の切断する旨を通知する（Ｔ２６３）。ＩＰ通信機能（つまり、ネットワークＩ／Ｆ２０）は、切断の応答を表すＡｃｋコマンドをＰＢＸ８に返信する（Ｔ２６４）。
【０１５７】
以上により、実施の形態２の通信システム５では、ＰＢＸ８（電話交換機の一例）と、スマートフォン５０（電話通信端末の一例）と、ＰＢＸ８及びスマートフォン５０との間で通話に関する信号を送受信する通信アダプタ１０とが接続される。通信アダプタ１０は、着信、発信等、通話に関するイベントを検知すると、スマートフォン５０との間で、ＢＬＥ通信（第１の通信の一例）により、イベントの情報をスマートフォン５０に送信する。スマートフォン５０は、通信アダプタ１０から送信されたイベントの情報に基づいて、イベントの発生を報知する。通信アダプタ１０は、イベントの発生の報知後、Ｉｎｖｉｔｅコマンドや「１８０」コマンド等（イベントの応答準備の完了を示す信号）を、ＰＢＸ８に送信する。
【０１５８】
これにより、通信システム５は、通話に関するイベントの内容に合わせた必要な操作に不慣れなユーザであっても、業務において自分のスマートフォンをコードレス電話機として利用する際の操作性の劣化を抑制し、業務効率の向上を支援することができる。
【０１５９】
また、通信アダプタ１０は、通話に関するイベントを検知すると、ＢＬＥ通信（第１の通信の一例）によりＩＰ通信の情報を送信することにより、スタンバイモードに設定されていたスマートフォン５０をアクティブモードに移行させるための信号をスマートフォン５０に送信する。スマートフォン５０は、通信アダプタ１０から送信されたアクティブモードに移行させるための信号に基づいて、スタンバイモードからアクティブモードに移行する。これにより、通信アダプタ１０は、着信や発信等（通話に関するイベントの一例）が検知されない場合、スタンバイモードに移行するので、スマートフォン５０の消費電力を抑えることができる。
【０１６０】
また、通信アダプタ１０は、着信や発信等のイベントの応答操作が行われた場合、スマートフォン５０とＰＢＸ８に接続された他の電話通信端末との間で音声通話に関する信号を中継する。これにより、通信アダプタが中継することで、スマートフォン５０を所持するユーザは、通常の操作と同様、簡単な操作で着信や発信等を行うことができる。
【０１６１】
また、スマートフォン５０は、音声通話時（つまり、音声通話に関する信号の通信時）、通話画面（通話に関する画面の一例）を表示する。これにより、ユーザは、着信画面、通話画面、発信画面等、通話に関する画面を見て、通話状態を確認できる。
【０１６２】
また、通話に関するイベントは、着信である。これにより、ユーザは、着信において、通信アダプタを利用できる。
【０１６３】
また、通信アダプタ１０は、ＣＡＬＬボタンｂｎ１の押下（着信の応答操作の一例）を検知すると、「２００」コマンド（着信の応答操作の検知を示す信号）をＰＢＸ８に送信する。これにより、ユーザは、通信アダプタに対し、着信応答の操作を行うことができる。例えば、スマートフォンが上着のポケットに入ったままで直ぐに取り出せないような状況であっても、デスクに設置された通信アダプタを使って着信に対して応答できる。
【０１６４】
また、スマートフォン５０は、通話開始ボタンｓｎ６の押下（着信の応答操作の一例）を検知すると、「２００」コマンド（着信の応答操作の検知を示す信号）を通信アダプタ１０に送信する。これにより、ユーザは、スマートフォンに対し、着信応答の操作を行うことができる。通信アダプタに着信があっても、自分のスマートフォンを使用して通常通り、着信応答を行うことができる。従って、着信応答の操作が簡便となる。
【０１６５】
また、通話に関するイベントは、発信である。これにより、ユーザは、発信において、通信アダプタを利用できる。
【０１６６】
また、通信アダプタ１０は、ＣＡＬＬボタンｂｎ１の押下（発信の操作の一例）を検知すると、Ｉｎｖｉｔｅコマンド（発信の操作の検知を示す信号）をスマートフォン５０に送信する。これにより、ユーザは、通信アダプタに対し、発信の操作を行うことができる。例えば、スマートフォンが上着のポケットに入ったままで直ぐに取り出せないような状況であっても、デスクに設置された通信アダプタを使って発信できる。また、ユーザは、発信時、通信アダプタに登録された相手先の番号を利用することができる。
【０１６７】
また、通信アダプタ１０は、ＴＲＡＮＳＦＥＲボタンｂｎ２の押下（転送開始操作の一例）を検知すると、ＰＢＸ８に対し、現在の通話相手の電話通信端末との通話を保留させる。これにより、ユーザは、通信アダプタに対し、転送開始操作を行うことができる。また、転送開始操作だけで、現在の通話相手の電話通信端末との通話を保留することができ、操作が簡便である。
【０１６８】
また、通信アダプタ１０は、１２キー１７による転送先番号の入力操作を検知すると、ＰＢＸ８に対し、転送先の電話通信端末との間で通話を開始させる。これにより、ユーザは、通信アダプタに対し、転送先番号の入力操作を行うことができる。現在の通話相手の電話通信端末との通話が保留の状態にあるので、ユーザは、ゆっくりと落ち着いて転送先番号を入力できる。また、転送先番号が入力し終わると、転送先の電話通信端末と通話を開始することができ、通話を転送することの用件を伝えることができる。
【０１６９】
また、通信アダプタ１０は、ＴＲＡＮＳＦＥＲボタンｂｎ２の押下（転送実行操作）を検知すると、ＰＢＸ８に対し、保留中の現在の通話相手の電話通信端末と転送先の電話通信端末との通話を実行させる。これにより、ユーザは、通信アダプタに対し、転送実行操作を行うことができる。また、転送実行操作を行うだけで、通話を転送でき、操作が簡便である。このように、ユーザは、自身のスマートフォンにかかってきた通話を、通信アダプタに対する操作だけで、簡単に転送先の電話通信端末に転送することができる。
【０１７０】
以上、図面を参照しながら各種の実施形態について説明したが、本開示はかかる例に限定されないことは言うまでもない。当業者であれば、特許請求の範囲に記載された範疇内において、各種の変更例又は修正例に想到し得ることは明らかであり、それらについても当然に本開示の技術的範囲に属するものと了解される。また、発明の趣旨を逸脱しない範囲において、上述実施の形態における各構成要素を任意に組み合わせてもよい。
【産業上の利用可能性】
【０１７１】
本開示は、通話相手の電話機からの着信が発生して他の人物の電話機に転送する場合に、その他の人物が在席しているかどうかを迅速に状況確認し、必要に応じて、その他の人物の電話機への着信転送を効率的に支援する通信システム、通信方法及び通信アダプタとして有用である。
【符号の説明】
【０１７２】
５  通信システム
８  ＰＢＸ
１０  通信アダプタ
１１  ＣＰＵ
１２  ＲＡＭ
１３  フラッシュメモリ
１４  ＢＬＥ処理部
１５  液晶表示器
１６Ａ  ＢＬＥ用ＬＥＤ
１６Ｂ  着信用ＢＬＥ
１７  １２キー
１８  ＢＬＦキー用ＬＥＤ
１９  ブザー
２０  ネットワークＩ／Ｆ
２１  ＰＣ用コネクタ
２２  ＰＢＸ用コネクタ
２８  ＢＬＦキー群
３３  ボタン群
３４  ソフトキー群
５０  スマートフォン
【図１】
2018191066.tif 000003
【図２Ａ】
2018191066.tif 000004
【図２Ｂ】
2018191066.tif 000005
【図２Ｃ】
2018191066.tif 000006
【図３】
2018191066.tif 000007
【図４】
2018191066.tif 000008
【図５】
2018191066.tif 000009
【図６】
2018191066.tif 000010
【図７】
2018191066.tif 000011
【図８】
2018191066.tif 000012
【図９】
2018191066.tif 000013
【図１０】
2018191066.tif 000014
【図１１Ａ】
2018191066.tif 000015
【図１１Ｂ】
2018191066.tif 000016
【図１１Ｃ】
2018191066.tif 000017
【図１１Ｄ】
2018191066.tif 000018
【図１２】
2018191066.tif 000019
【図１３】
2018191066.tif 000020
【図１４】
2018191066.tif 000021
【図１５】
2018191066.tif 000022
【図１６】
2018191066.tif 000023